(57)【要約】  【課題】容易に潤滑剤の交換作業ができる耕耘軸用軸受装置を提供する。  【解決手段】耕耘軸用軸受装置35は、耕耘軸32を差し込むボス部41を備える。ボス部41の内側には、耕耘軸32を回転可能に支持する軸受部材42およびボス部41外への潤滑剤の漏れを防止するシール部材43を設ける。潤滑剤注入口46および潤滑剤排出口47を軸受部材42およびシール部材43間の空間部45に連通するようにボス部41にそれぞれ設ける。  【選択図】図１
2005229867.tif 000002
【特許請求の範囲】
【請求項１】
耕耘爪が取り付けられた耕耘軸を回転可能に支持する耕耘軸用軸受装置であって、
前記耕耘軸が差し込まれるボス部と、
このボス部の内側に設けられ、前記耕耘軸を回転可能に支持する軸受部材と、
前記ボス部の内側に設けられ、前記ボス部外への潤滑剤の漏れを防止するシール部材と、
前記軸受部材および前記シール部材間の空間部に連通するように設けられた潤滑剤注入口および潤滑剤排出口と
を備えることを特徴とする耕耘軸用軸受装置。
【請求項２】
潤滑剤注入口がボス部に設けられ、このボス部における前記潤滑剤注入口の周囲部分を保護する注入口保護部材を備える
ことを特徴とする請求項１記載の耕耘軸用軸受装置。
【請求項３】
潤滑剤排出口がボス部に設けられ、このボス部における潤滑剤排出口の周囲部分を保護する排出口保護部材を備える
ことを特徴とする請求項１または２記載の耕耘軸用軸受装置。
【請求項４】
潤滑剤注入口を閉鎖する脱着可能な注入口閉鎖部材を備える
ことを特徴とする請求項１ないし３のいずれか一記載の耕耘軸用軸受装置。
【請求項５】
潤滑剤排出口を閉鎖する脱着可能な排出口閉鎖部材を備える
ことを特徴とする請求項１ないし４のいずれか一記載の耕耘軸用軸受装置。
【請求項６】
複数の潤滑剤排出口がボス部にそれぞれ設けられている
ことを特徴とする請求項１ないし５のいずれか一記載の耕耘軸用軸受装置。
【発明の詳細な説明】
【技術分野】
【０００１】
本発明は、耕耘爪が取り付けられた耕耘軸を回転可能に支持する耕耘軸用軸受装置に関するものである。
【背景技術】
【０００２】
従来、例えば耕耘軸が差し込まれる略円筒状のボス部と、ボス部の内側に設けられ耕耘軸を回転可能に支持するボールベアリング等の軸受部材と、ボス部の内側に設けられボス部外へのグリース等の潤滑剤の漏れを防止するシール部材とを備えた耕耘軸用の耕耘軸用軸受装置が知られている（例えば、特許文献１参照）。
【特許文献１】特開２０００−３３３５０１号公報
【発明の開示】
【発明が解決しようとする課題】
【０００３】
しかしながら、上記従来の耕耘軸用軸受装置では、例えば潤滑剤を交換する場合、耕耘軸をボス部から一旦取り外す作業等が必要であり、潤滑剤の交換に手間取るおそれがある。
【０００４】
本発明は、このような点に鑑みなされたもので、容易に潤滑剤の交換作業ができる耕耘軸用軸受装置を提供することを目的とする。
【課題を解決するための手段】
【０００５】
請求項１記載の耕耘軸用軸受装置は、耕耘爪が取り付けられた耕耘軸を回転可能に支持する耕耘軸用軸受装置であって、前記耕耘軸が差し込まれるボス部と、このボス部の内側に設けられ、前記耕耘軸を回転可能に支持する軸受部材と、前記ボス部の内側に設けられ、前記ボス部外への潤滑剤の漏れを防止するシール部材と、前記軸受部材および前記シール部材間の空間部に連通するように設けられた潤滑剤注入口および潤滑剤排出口とを備えるものである。
【０００６】
そして、軸受部材およびシール部材間の空間部に連通するように設けられた潤滑剤注入口および潤滑剤排出口を備えるため、容易に潤滑剤の交換作業をすることが可能である。
【０００７】
請求項２記載の耕耘軸用軸受装置は、請求項１記載の耕耘軸用軸受装置において、潤滑剤注入口がボス部に設けられ、このボス部における前記潤滑剤注入口の周囲部分を保護する注入口保護部材を備えるものである。
【０００８】
そして、注入口保護部材にてボス部における潤滑剤注入口の周囲部分が適切に保護され、耐久性が向上する。
【０００９】
請求項３記載の耕耘軸用軸受装置は、請求項１または２記載の耕耘軸用軸受装置において、潤滑剤排出口がボス部に設けられ、このボス部における潤滑剤排出口の周囲部分を保護する排出口保護部材を備えるものである。
【００１０】
そして、排出口保護部材にてボス部における潤滑剤排出口の周囲部分が適切に保護され、耐久性が向上する。
【００１１】
請求項４記載の耕耘軸用軸受装置は、請求項１ないし３のいずれか一記載の耕耘軸用軸受装置において、潤滑剤注入口を閉鎖する脱着可能な注入口閉鎖部材を備えるものである。
【００１２】
そして、注入口閉鎖部材にて潤滑剤注入口を適切に閉鎖することが可能である。
【００１３】
請求項５記載の耕耘軸用軸受装置は、請求項１ないし４のいずれか一記載の耕耘軸用軸受装置において、潤滑剤排出口を閉鎖する脱着可能な排出口閉鎖部材を備えるものである。
【００１４】
そして、排出口閉鎖部材にて潤滑剤排出口を適切に閉鎖することが可能である。
【００１５】
請求項６記載の耕耘軸用軸受装置は、請求項１ないし５のいずれか一記載の耕耘軸用軸受装置において、複数の潤滑剤排出口がボス部にそれぞれ設けられているものである。
【００１６】
そして、複数の潤滑剤排出口がボス部にそれぞれ設けられているため、容易かつ効率的に潤滑剤の交換作業をすることが可能である。
【発明の効果】
【００１７】
請求項１に係る発明によれば、軸受部材およびシール部材間の空間部に連通するように設けられた潤滑剤注入口および潤滑剤排出口を備えるため、容易に潤滑剤の交換作業ができる。
【００１８】
請求項２に係る発明によれば、注入口保護部材にてボス部における潤滑剤注入口の周囲部分を適切に保護でき、耐久性の向上を図ることができる。
【００１９】
請求項３に係る発明によれば、排出口保護部材にてボス部における潤滑剤排出口の周囲部分を適切に保護でき、耐久性の向上を図ることができる。
【００２０】
請求項４に係る発明によれば、注入口閉鎖部材にて潤滑剤注入口を適切に閉鎖することができる。
【００２１】
請求項５に係る発明によれば、排出口閉鎖部材にて潤滑剤排出口を適切に閉鎖することができる。
【００２２】
請求項６に係る発明によれば、複数の潤滑剤排出口がボス部にそれぞれ設けられているため、容易かつ効率的に潤滑剤の交換作業ができる。
【発明を実施するための最良の形態】
【００２３】
本発明の耕耘軸用軸受装置の一実施の形態を図面を参照して説明する。
【００２４】
図３および図４において、１は折畳み式の農作業機で、この農作業機１は、例えば走行車であるトラクタ（図示せず）に連結された状態でトラクタの走行により水田等の圃場を進行方向前方に移動しながら耕耘整地作業をするものである。
【００２５】
そして、農作業機１は、トラクタの３点リンクに連結され耕耘整地作業をする中央作業部２を備え、この中央作業部２の左右両端側には中央作業部２の作業幅を延長する延長作業部３が作業位置および折畳位置間で回動軸４を中心として上下方向に回動可能（折畳み可能）に設けられている。
【００２６】
なお、中央作業部２と延長作業部３の間には人力による延長作業部３の上方回動を補助する回動補助手段であるガススプリング５が配設されている。また、延長作業部３は、作業位置ロック手段６にて作業位置にロックされ、折畳位置ロック手段７にて折畳位置にロックされるようになっている。
【００２７】
中央作業部２は、トラクタの３点リンクに連結された機枠11を備えている。機枠11は３点連結部12を有し、この３点連結部12は、トップピン13が先端部に取着された１本のトップマスト14と、ロワピン15が先端部に取着された左右２本のロワアーム16とにて構成されている。また、機枠11は左右方向中央部に入力軸保持部（ギアボックス）17を有し、この入力軸保持部17にてトラクタからの動力を入力する入力軸18が回転可能に保持されている。入力軸18には、トラクタのＰＴＯ軸がユニバーサルジョイントおよび伝動シャフト等を介して連結されている。
【００２８】
また、機枠11には、入力軸18からの動力を伝動手段19を介して受けて回転することにより耕耘作業をするロータリ式の耕耘体21が回転可能に設けられている。
【００２９】
耕耘体21は、左右方向に長手状の耕耘軸22を有し、この耕耘軸22の外周側には複数の耕耘爪23が放射状に取り付けられている。そして、耕耘軸22の両端部は機枠11の側板部24に耕耘軸用軸受装置25を介して取り付けられ、この耕耘軸22の両端部は耕耘軸用軸受装置25にて回転可能に支持されている。なお、入力軸18からの動力を耕耘軸22に伝達する伝動手段19は、べベルギア26、シャフト27、スプロケット28およびチェーン29等にて構成されている。
【００３０】
さらに、機枠11には、耕耘体21の後方位置で整地作業をする整地体（図示せず）が左右方向の軸を中心として上下回動可能に設けられている。整地体は、ゴム板、均平板（第１整地板）およびレーキ（第２整地板）等にて構成されている。
【００３１】
延長作業部３は、中央作業部２の機枠11の左右方向端部である外端部に回動軸４を介して上下方向に回動可能に設けられた可動機枠である延長機枠30を備えている。
【００３２】
そして、延長機枠30には、延長作業部３が作業位置にロックされた状態で、中央作業部２の耕耘体21側からの動力を受けて回転することにより耕耘作業をするロータリ式の耕耘体31が回転可能に設けられている。
【００３３】
耕耘体31は、中央作業部２の耕耘体21と同様、左右方向に長手状の耕耘軸32を有し、この耕耘軸32の外周側には複数の耕耘爪33が放射状に取り付けられている。そして、耕耘軸32の両端部は延長機枠30の側板部34に耕耘軸用軸受装置35，36を介して取り付けられ、この耕耘軸32の両端部は耕耘軸用軸受装置35，36にて回転可能に支持されている。
【００３４】
また、延長機枠30には、耕耘体31の後方位置で整地作業をする整地体（図示せず）が左右方向の軸を中心として上下回動可能に設けられ、この整地体は、均平板（第１整地板）およびレーキ（第２整地板）等にて構成されている。
【００３５】
ここで、延長機枠30の内端側、すなわち延長作業部３が作業位置にロックされた状態時に機枠11の側板部24と近接して対向する側板部34側の耕耘軸用軸受装置35は延長作業部３の耕耘軸32の端部を回転可能に支持するもので、この耕耘軸用軸受装置35は、図１および図２にも示すように、延長機枠30の側板部34にブラケット40を介して固着された略円筒状で両端面開口状のボス部41を備え、このボス部41の内側に耕耘軸32の端部が差し込まれている。
【００３６】
ボス部41の軸方向略中央部の内側には、耕耘軸32の端部が回転可能に支持する略円形環状の軸受部材（例えばボールジョイント）42が設けられている。
【００３７】
また、ボス部41の軸方向両端側の内側には、ボス部41外への潤滑剤の漏れおよびボス部41内への泥水等の異物の混入を防止する略円形環状のシール部材（例えば軸付シール）43，44がそれぞれ設けられている。
【００３８】
さらに、これらの２つのシール部材43，44のうちの中央作業部２側寄りのシール部材43は、軸受部材42と離間対向して位置し、そのシール部材43と軸受部材42との間に所望の大きさの空間部45が存在する。
【００３９】
そして、ボス部41外からボス部41内に液状の潤滑剤（例えばグリース）を注入するための潤滑剤注入口46およびボス部41内からボス部41外に液状の潤滑剤（例えばグリース）を排出するための潤滑剤排出口47が、軸受部材42およびシール部材43間の空間部45に連通するようにボス部41の互いに異なる位置にそれぞれ１個づつ設けられている。
【００４０】
すなわち、図２から明らかなように、ボス部41の軸方向と直交する径方向の一端側（図２中、下端側）には径方向に延びた略円柱状の潤滑剤注入口46が設けられ、ボス部41の軸方向と直交する径方向の他端側（図２中、上端側）には径方向に延びた略円柱状の潤滑剤排出口47が設けられている。
【００４１】
そして、ボス部41の径方向の一端側には底面に潤滑剤注入口46の外端が開口した凹部51が形成され、この凹部51の内側にはボス部41における潤滑剤注入口46の外端側の周囲部分を保護（補強）する補強手段である注入口保護部材（注入口用ガード）52が嵌合固着され、この注入口保護部材52の一部がボス部41の外周から突出している。
【００４２】
注入口保護部材52は、潤滑剤注入口46の開口径より外径が大きい略円筒状に形成され、この注入口保護部材52の内周面にはねじ溝部53が形成されている。そして、注入口保護部材52の内周側のねじ溝部53には、潤滑剤注入口46を閉鎖する注入口閉鎖部材である注入口用蓋（例えばボルト）54が脱着可能に螺着されている。
【００４３】
なお、ボス部41の潤滑剤注入口46に臨んだ部分にはねじ溝部55が形成され、このねじ溝部55にはグリースガン（図示せず）が使用できるようにグリースニップル56が脱着可能に螺着されている。そして、グリースニップル56のボス部41外周から突出した部分が注入口用蓋54にて覆い隠されることにより、潤滑剤注入口46が注入口用蓋54にて閉鎖されるようになっている。
【００４４】
一方、ボス部41の径方向の他端側には底面に潤滑剤排出口47の外端が開口した凹部61が形成され、この凹部61の内側にはボス部41における潤滑剤排出口47の外端側の周囲部分を保護（補強）する補強手段である排出口保護部材（排出口用ガード）62が嵌合固着され、この排出口保護部材62の一部がボス部41の外周から突出している。
【００４５】
排出口保護部材62は、潤滑剤排出口47の開口径より外径が大きい略円筒状に形成され、この排出口保護部材62の内周面にはねじ溝部63が形成されている。そして、排出口保護部材62の内周側のねじ溝部63には、潤滑剤排出口47を閉鎖する排出口閉鎖部材である排出口用蓋（例えばボルト）64が脱着可能に螺着されている。
【００４６】
なお、図４から明らかなように、中央作業部２側の耕耘軸用軸受装置25は、延長作業部３側の耕耘軸用軸受装置35と同一構成のもので、耕耘軸用軸受装置35とは左右対称に配設されている点で異なっている。
【００４７】
また、耕耘軸22，32のボス部41内に位置する端部には、ボス66が連結され、このボス66の外周側には爪クラッチ部67を有するフランジ68が固着されている。
【００４８】
次に、上記農作業機の耕耘軸用軸受装置25，35内の潤滑剤を新しいのに交換する場合について説明する。
【００４９】
作業者は、まず、注入口用蓋54を注入口保護部材52から取り外してグリースニップル56を露出させることで潤滑剤注入口46を潤滑剤を注入可能な開口状態にするとともに、排出口用蓋64を排出口保護部材62から取り外して潤滑剤排出口47を開口状態にする。
【００５０】
そして、グリースガンを使用して、新しいグリースである潤滑剤をグリースニップル56を介して潤滑剤注入口46からボス部41内（空間部45を含む部分）に注入する。
【００５１】
新しい潤滑剤を注入すると、ボス部41内の古く汚れた潤滑剤は、注入された潤滑剤に押されるようにして潤滑剤排出口47からボス部41外へ排出される。
【００５２】
そして、作業者は、潤滑剤排出口47から新しい潤滑剤が排出されるのを確認した時点で新しい潤滑剤の注入を止め、その後、注入口用蓋54および排出口用蓋64を取り付け、潤滑剤注入口46および潤滑剤排出口47を閉鎖状態にする。
【００５３】
なお、潤滑剤の不足分を充填する場合には、潤滑剤注入口46から潤滑剤を注入すればよい。
【００５４】
このように上記耕耘軸用軸受装置25，35を備えた農作業機１によれば、耕耘軸22，32を支持する軸受部分において軸受部材42およびシール部材43間の空間部45に連通するようにボス部41にそれぞれ設けられた潤滑剤注入口46および潤滑剤排出口47を備えるため、耕耘軸22，32をボス部41から一旦取り外す作業等を行う必要がなく、農作業機１の整備の際等に、容易に潤滑剤の交換作業、充填作業或いは点検作業等ができ、しかも、整備作業ごとに新品のシール部材（軸付シール）43，44を用意する必要もない。
【００５５】
また、注入口保護部材52にてボス部41における潤滑剤注入口46の周囲部分を適切に保護でき、かつ排出口保護部材62にてボス部41における潤滑剤排出口47の周囲部分を適切に保護できるため、耕耘軸用軸受装置25，35の耐久性の向上を図ることができる。
【００５６】
さらに、注入口用蓋54の脱着によって潤滑剤注入口46を適切に開閉でき、かつ排出口用蓋64の脱着にて潤滑剤排出口47を適切に開閉できるため、所望時に潤滑剤注入口46および潤滑剤排出口47を適切に閉鎖でき、潤滑剤注入口46および潤滑剤排出口47の外部への露出を適切に防ぐことができる。
【００５７】
なお、軸受装置である耕耘軸用軸受装置25，35は、１つの潤滑剤注入口46および１つの潤滑剤排出口47を備えたものには限定されず、例えば潤滑剤注入口46の数および潤滑剤排出口47の数はそれぞれ任意であり、複数でもよい。
【００５８】
すなわち例えば図５に示すように、ボス部41の径方向一端側（図５中、下端側）に１つの潤滑剤注入口46を設け、かつボス部41の径方向他端側（図５中、上端側）に複数、例えば２つの潤滑剤排出口47を互いに離間させて設けるようにしてもよい。また例えば図６に示すように、１つの潤滑剤注入口46と３つ（複数）の潤滑剤排出口47をボス部41の周方向に略９０度の等間隔をおいて互いに直交する異なる４方向を向くように設けてもよい。
【００５９】
さらに、耕耘軸用軸受装置25，35は、ボス部41に設けられた潤滑剤注入口46および潤滑剤排出口47を備えた構成には限定されず、例えばより効率的な潤滑剤の注入のために、図７に示すように、複数の潤滑剤排出口47をボス部41に空間部45に連通するように設けるとともに、潤滑剤注入口46を耕耘軸32側に空間部45に連通するように設けた構成としてもよい。
【００６０】
なお、この図７に示す潤滑剤注入口46は、耕耘軸32にボス66を固定するボルト69に形成された軸方向の孔71と、耕耘軸32の端部に形成された軸方向および径方向の孔72，73と、ボス66の耕耘軸32外周に嵌合した部分に形成された径方向の孔74とにて構成されている。またグリースニップル56はボルト69の孔71に螺着されている。
【００６１】
また一方、耕耘軸22，32を回転可能に支持するすべての軸受部分に耕耘軸用軸受装置25，35を適用してもよく、上記農作業機１のように一部の軸受部分にのみ適用してもよい。
【００６２】
さらに、農作業機１は、延長作業部３を備える折畳み式には限定されず、折り畳めないものでもよく、また代掻き機には限定されず、ロータリ耕耘機或いは畦塗り機等にも適用できる。
【図面の簡単な説明】
【００６３】
【図１】本発明の耕耘軸用軸受装置の一実施の形態の正面図である。
【図２】同上耕耘軸用軸受装置の一部側面図である。
【図３】同上耕耘軸用軸受装置を備えた農作業機の正面図である。
【図４】同上農作業機の伝動部分を示す断面図である。
【図５】本発明の耕耘軸用軸受装置の他の実施の形態を示す一部側面図である。
【図６】本発明の耕耘軸用軸受装置のさらに他の実施の形態を示す一部側面図である。
【図７】本発明の耕耘軸用軸受装置の他の実施の形態の正面図である。
【符号の説明】
【００６４】
32    耕耘軸
33    耕耘爪
35    耕耘軸用軸受装置
41    ボス部
42    軸受部材
43    シール部材
45    空間部
46    潤滑剤注入口
47    潤滑剤排出口
52    注入口保護部材
54    注入口閉鎖部材である注入口用蓋
62    排出口保護部材
64    排出口閉鎖部材である排出口用蓋
【図１】
2005229867.tif 000003
【図２】
2005229867.tif 000004
【図３】
2005229867.tif 000005
【図４】
2005229867.tif 000006
【図５】
2005229867.tif 000007
【図６】
2005229867.tif 000008
【図７】
2005229867.tif 000009